(57)【要約】【課題】本発明は、セードの一方の面に帯電防止層を設けただけでセードの全面に帯電防止効果を生じさせるとともに、器具効率の低下を抑制することができる照明器具を提供する。【解決手段】本実施形態によれば、背面効果を有する帯電防止層５０を器具本体１１と対向する側（矢印Ａ方向）の表面に配設したので、器具本体１１側の表面のみならず器具本体１１側とは反対側の基材４１の表面側にも帯電防止効果を生じることができる。また、帯電防止層５０とは反対側の表面側に低屈折率の反射防止層６０を形成したので、セード４０の基材４１の透過率が向上するようになっている。このため、帯電防止層５０によって環状蛍光ランプ１からの照射光がロスされたとしても、器具効率の低下を抑制するようになっている。【選択図】図２
2007095474.tif 000002
【特許請求の範囲】
【請求項１】
光源が配設可能である器具本体と；
器具本体の下面側を覆うように装着されるプラスチック製のセードと；
セードの器具本体側の表面に形成される背面効果を備える帯電防止層と；
セードの器具本体側とは反対側の表面に形成される低屈折率である反射防止層と；
を具備することを特徴とする照明器具。
【請求項２】
反射防止層は、水分および油分への接触角が高く撥水性および撥油性を有するものであることを特徴とする請求項１記載の照明器具。
【請求項３】
帯電防止層の器具本体側表面には、撥水性および撥油性を有する反射防止層がさらに形成されていることを特徴とする請求項２記載の照明器具。
【請求項４】
セードは、第一プラスチック基材と第二プラスチック基材とからなる多層構造であり、また帯電防止層は、第一プラスチック基材と第二プラスチック基材との間に接着剤として用いられていることを特徴とする請求項１ないし３いずれか一記載の照明器具。
【発明の詳細な説明】
【技術分野】
【０００１】
本発明は、セードを有する照明器具に関する。
【背景技術】
【０００２】
従来から、例えば一般住宅の天井に設けられる照明器具の一種として、器具本体の天井側とは反対側である下面部をプラスチック樹脂からなるセードで覆ういわゆる密閉形のものが知られている。また、上記のように密閉形ではなく、器具本体および光源が下方から見えないように設けるだけのいわゆる開放形のものが知られている。
【０００３】
このような一般的なプラスチック樹脂からなるセードは、透光性を有する樹脂シートから押出し成型や圧空成型によって形成されるものであって、その表面に何ら加工を施さなければ通常帯電性を有するものであった。このように帯電性を有すると空気中の塵埃などがセードに付着してしまい、外観性を低下させるとともにメンテナンスも頻繁に行わなければならないという課題があった。
【０００４】
これを解決する方法として、セードの表面に帯電防止層を形成する技術が知られている（例えば、特許文献１参照）。
【特許文献１】特開２００２−１７０４１２号公報
【発明の開示】
【発明が解決しようとする課題】
【０００５】
しかしながら、特許文献１に記載の従来技術は、帯電防止層を光源側に設けてもよいことが開示されているが、単なる帯電防止層であれば、光源側とは反対側の面には帯電防止性を付与することができないので、セードが有する帯電性からくる課題を解決することはできない。
【０００６】
また、帯電防止層を単に光源側に設けてしまうと、光源からの照射光が当該帯電防止層によってロスされてしまうため、セードによっても光源からの照射光がロスされる割合を考慮すると、器具効率が低下してしまうという課題があった。
【０００７】
本発明は、上記に鑑みなされたものであり、セードの一方の面に帯電防止層を設けただけでセードの全面に帯電防止効果を生じさせるとともに、器具効率の低下を抑制することができる照明器具を提供することを目的とする。
【課題を解決するための手段】
【０００８】
請求項１記載の照明器具は、光源が配設可能である器具本体と；器具本体の下面側を覆うように装着されるプラスチック製のセードと；セードの器具本体側の表面に形成される背面効果を備える帯電防止層と；セードの器具本体側とは反対側の表面に形成される低屈折率である反射防止層と；を具備することを特徴とする。
【０００９】
また請求項２記載の照明器具は、請求項１記載の照明器具において、反射防止層は、水分および油分への接触角が高く撥水性および撥油性を有するものであることを特徴とする。
【００１０】
本発明及び以下の発明において、特に指定しない限り用語の定義および技術的意味は次による。
【００１１】
光源は、蛍光ランプ、ＬＥＤ、白熱電球等いかなる形態のものでもよく、要するに発光作用を有するものであれば、構成、構造及び発光原理は特に限定しない。また、形状も特に限定されるものではなく、例えば蛍光ランプであれば、直管、円環状及び多角形状であってもよいし、単管構造や多重管構造であってもよい。
【００１２】
セードは、その基材がアクリル系樹脂、スチレン系樹脂およびポリエチレン樹脂等によって形成されているものであって、基材を構成する材料は特に限定はされない。また、好適であるのは、肉厚が３ｍｍ程度までである。その理由は、３ｍｍを越えると後述する帯電防止の背面効果が充分得られないことに加えて、セード自体の透過率が低下してしまうためである。
【００１３】
またセードは、いわゆる密閉形（開口面と、この開口面と対向する底部とを有し、この開口面側が器具本体の下面側を覆うように装着されると器具本体の下面側と底部とで空間部が形成される形態等）やいわゆる開放形のいずれでもよい。
【００１４】
帯電防止層は、この帯電防止層が設けられているセード表面の反対側面にも帯電防止効果（いわゆる背面効果）を生じさせるものである。そして、その組成は特に限定しないが、好適であるのは、高分子型の４級アンモニウム塩化合物である。理由は、耐久性および背面効果の点で有効だからである。また層の膜厚は、０．０１μｍ〜２０μｍが好ましい。理由は、０．０１μｍ以下であると、充分な背面効果が得られず、２０μｍ以上であると透過率が低下してしまうためである。
【００１５】
反射防止層は、高い透過率と低い屈折率となる化合物が層状に形成されているものである。そして、好適であるのは、水分および油分への接触角が高く、かつ低屈折率の溶剤可溶型フッ素樹脂等にて作成することである。理由は、これにより、反射防止層の効果に加えて撥水性および撥油性も備えることができるからである。また、層の膜厚は、０．０１μｍ〜１．５μｍが好ましい。理由は、０．０１μｍ以下であると反射防止層としての充分な効果が得られないとともに、１．５μｍ以上であると、絶縁性が高くなりすぎで上記の帯電防止層の背面効果が得られなくなるからである。
【００１６】
本発明によれば、背面効果を有する帯電防止層を器具本体の下方側と対向する側の表面に配設したので、器具本体側の表面のみならず器具本体側とは反対側の表面側にも帯電防止効果を生じることができる。また、器具本体側に帯電防止層を設けたため、帯電防止層による外観の低下がなく、デザインの自由度が制限されることがない。また、通常は外部に露出する器具本体側とは反対側の表面側に帯電防止層が形成されていないので、外的要因によって帯電防止層の剥離等が生じにくく、帯電防止性が低下する虞を抑制することができる。
【００１７】
さらにまた、セードの器具本体側とは反対側の表面側に低屈折率の反射防止層を形成したので、セードの透過率が向上するようになっている。すなわち、帯電防止層によって光源からの照射光がロスされたとしても、セードの透過率を高めているため、器具効率の低下を抑制するようになっている。
【００１８】
さらにまた、帯電防止層と反射防止層とをセードの異なる面に形成しているため、セードの基材に各層を形成する作業が容易であり、生産性が低下することがない。
【００１９】
また、反射防止層が撥水性および撥油性を有する場合には、帯電防止の効果に加えてさらに防汚性が高まるので、より好適である。
【００２０】
請求項３記載の照明器具は、請求項２記載の照明器具において、帯電防止層の器具本体側表面には、撥水性および撥油性を有する反射防止層がさらに形成されていることを特徴とする。
【００２１】
本発明によれば、器具本体側にも撥水性および撥油性を有する反射防止層が形成されているので、セードの全面に渡って帯電防止性と撥水性および撥油性とが付与されるため、防汚性を格段と向上させることができる。これにより、意匠性が低下することを抑制できるとともに、例えば使用者に対して洗浄等のメンテナンスの負担を軽減することができる。
【００２２】
請求項４記載の照明器具は、請求項１ないし３いずれか一記載の照明器具において、セードは、第一プラスチック基材と第二プラスチック基材とからなる多層構造であり、また帯電防止層は、第一プラスチック基材と第二プラスチック基材との間に接着剤として用いられていることを特徴とする。
【００２３】
本発明によれば、セードを形成する第一および第二のプラスチック基材間に帯電防止層が設けられるので、長期的な使用であっても、外的要因による機能の低下が防止できるため、帯電防止層の対候性が向上する。
【発明の効果】
【００２４】
請求項１記載の発明によれば、背面効果を有する帯電防止層を器具本体の下方側と対向する側の表面に配設したので、器具本体側表面のみならず器具本体側とは反対側の表面側にも帯電防止効果を生じることができる。また、セードの器具本体側とは反対側の表面側に低屈折率の反射防止層を形成したので、器具効率の低下を抑制するようになっている。
【００２５】
請求項２記載の発明によれば、請求項１記載の効果に加えて、セードの器具本体側の反対面において、帯電防止の効果に加えてさらに防汚性が高まるので、メンテナンス性が向上する。
【００２６】
請求項３記載の発明によれば、請求項１または２記載の効果に加えて、セードの全面に渡って帯電防止性と撥水性および撥油性とが付与されるため、防汚性を格段と向上させることができる。
【００２７】
請求項４記載の発明によれば、請求項１記載の効果に加えて、長期的に使用されても、外的要因による帯電防止性の機能低下を防止できるため、帯電防止層の対候性が向上する。
【発明を実施するための最良の形態】
【００２８】
本発明の一実施形態を図面を参照して説明する。図１は、第一実施形態の照明器具を示す断面図である。
【００２９】
図において、照明器具１０は、光源である環状蛍光ランプ１、器具本体１１、点灯装置２５及びセード４０等を有している。
【００３０】
環状蛍光ランプ１は、管外径が２５．５ｍｍ以下の例えば１９ｍｍに形成された環状のガラスバルブ２を有し、このガラスバルブ２内には希ガスおよび水銀を有する放電媒体が封入されるとともに、ガラスバルブ２の内壁面には蛍光体被膜が形成され、ガラスバルブ２の両端には電極が配設され、ガラスバルブ２の両端間に跨がって口金３が配設されている。口金３には、電極に電気的に接続された複数の図示しない口金ピンが、ガラスバルブ２の環状の仮想軸から斜めが外方に向けて突設されている。
【００３１】
器具本体１１は、外観が円形でかつ薄型に形成され、ほぼ同形状の天板１２の下面に取り付けられており、この天板１２の上面が後述する天井面２７への取付面１２ａとなる。器具本体１１の中央には円形の開口部１３が上下方向に開口形成され、この開口部１３の周囲に環状の収納空間１４を内部に有する収納部１５が形成されている。そして、天板１２と対向する面側であって、収納部１５を介して器具本体１１の下面側には反射板１６が形成されている。
【００３２】
そして、反射板１６には、２本の環状蛍光ランプ１の各配設位置に対応して一対のソケット１８が配設されている。このソケット１８は、反射板１６から垂直に突設されているもので、口金ピンが挿入されて電気的に接続される図示しないソケット部が形成されるとともに、口金３の外周に嵌合して保持するほぼＣ字状のホルダ部２０が形成されている。
【００３３】
また、反射板１６には、ソケット１８の位置とは対称位置に、２本の環状蛍光ランプ１の各配設位置に対応して一対のランプホルダ２１がそれぞれ配設されている。このランプホルダ２１は、反射板１６から垂直に突設され、ガラスバルブ２の外周に嵌合して保持するほぼＣ字状のホルダ部２２が形成されている。なお、反射板１６には、図示しないベビー球が天井面２７に対して鉛直方向に突設するように設けられる。
【００３４】
器具本体１１の収納部１５の収納空間１４には、インバータ回路を有する点灯装置（インバータ点灯装置）２５が配設されている。この点灯装置２５の電源入力側にはアダプタ２６が電線などで電気的に接続され、出力側には各ソケット１８が電線などで電気的に接続されている。このアダプタ２６は、高さが薄い円板状に形成され、器具本体１１の開口部１３内の下部側に図示しない連結部を介して器具本体１１に一体的に固定され、その連結部に沿って配線される電線などで点灯装置２５の電源入力側と接続されている。そして、アダプタ２６は、器具取付時に、天井面２７に設置されている引掛シーリングに電気的に接続されるとともに機械的に支持される。
【００３５】
器具本体１１には、器具本体１１の下面側及び側方を覆ってセード４０が装着される。このセード４０は、透光性および拡散性を有するアクリル系樹脂を基材４１とする乳白色からなり、なだらかに突出する薄形形状に形成されている。そして、下方へ大きな円弧面でもって底部３１が形成されるとともに、周縁部には器具本体に取り付けられる取付縁部３０が形成され、この取付縁部３０の内側に開口面３１が形成されている。
【００３６】
このセード４０の基材４１の表面構成について、図２を参照して説明する。図２は、セード４０の要部を拡大した一部拡大断面図である。
【００３７】
セード４０の基材４１は肉厚を約２ｍｍとするアクリル製樹脂から形成されている。そして、基材４１の一方の表面側には帯電防止層５０が形成されており、他方の表面側には反射防止層６０が形成されている。
【００３８】
この帯電防止層５０は、セード４０の基材４１において、器具本体１１の下面側と対向する側に形成されている（図２中のＡの方向）。そして、帯電防止層５０は、この帯電防止層５０が設けられている基材４１の表面側とは反対側の基材４１の表面側にも帯電防止効果（いわゆる背面効果）を生じさせるものである。さらに、その組成は、主として高分子型の４級アンモニウム塩化合物であって、膜厚は、１μｍである。
【００３９】
反射防止層６０は、セード４０の基材４１において、帯電防止層５０とは反対側の表面に。そして、反射防止層６０は、高い透過率と低い屈折率となる化合物が層状に形成されているものである。さらに、その組成は、溶媒可溶型のフッ素樹脂等で、例えばその成分として、環状のパーフルオロエーテルを主成分とし、その分子内にカルボキシル基等の官能基を有するものである。これにより、反射防止効果に加えて水分および油分への接触角が高い撥水性および撥油性を有する層となっている。さらにまた、膜厚は、０．１μｍである。
【００４０】
なお、セード４０の基材４１の各表面に帯電防止層５０および反射防止層６０を形成する方法としては、例えば、印刷、スプレー、スピンコータおよびディップ法などが挙げられるがいずれでもよい。さらに、各層の密着性等を高めるために、基材４１の表面処理やプライマー処理等を施してもよいものである。
【００４１】
本実施形態の作用について説明する。
【００４２】
器具本体１１は、天井面２７に設置されている引掛シーリング２８に接続されるアダプタ２６を介して、器具本体１１が天井面２７に支持されるとともに、器具本体１１側と引掛シーリング２８側とが電気的に接続され、収納部１４の点灯装置１５に電源が供給される。
【００４３】
器具本体１１の反射板１６には、ランプ直径が異なる２本の環状蛍光ランプ１がそれぞれ配設され、口金３から突出する口金ピンがソケット１８に挿入接続されているとともに、口金３と反対側のガラスバルブ２がランプホルダ２１で保持されている。そして、環状蛍光ランプ１、アダプタ２６及び図示しないベビー球などを覆ってセード２９が器具本体１１に装着され、器具本体１１の反射板１６とセード２９の底部３１とで空間部３２が形成される。その後、例えばリモートコントロール装置や壁スイッチ等の操作によって、環状蛍光ランプ１、１の点灯制御が行われる。
【００４４】
このような使用形態において、本実施形態によれば、背面効果を有する帯電防止層５０を器具本体１１と対向する側の表面に配設したので、器具本体１１側の表面のみならず器具本体１１側とは反対側の基材４１の表面側にも帯電防止効果を生じることができる。したがって、セード４０の全面に帯電防止性を容易に付与することができる。また、帯電防止層５０は、セード４０の片面のみでよいため、帯電防止性をセード４０全面に付与する際にもコストを抑制することができる。また、器具本体１１側に帯電防止層を設けたため、帯電防止層５０によるセード４０の外観性（意匠性）の低下がなく、デザインの自由度が制限されることがない。また、通常は外部に露出する器具本体１１側とは反対側の表面側に帯電防止層５０が形成されていないので、外的要因によって帯電防止層の剥離等が生じにくく、帯電防止性が低下する虞を抑制することができる。
【００４５】
さらにまた、帯電防止層５０とは反対側の表面側に低屈折率の反射防止層６０を形成したので、セード４０の基材４１の透過率が向上するようになっている。このため、帯電防止層５０によって環状蛍光ランプ１からの照射光がロスされたとしても、セード４０の透過率が高いため、器具効率の低下を抑制するようになっている。また、反射防止層６０が撥水性および撥油性を有するため、帯電防止の効果に加えてさらに防汚性が高まるので、より外観性の低下防止およびメンテナンス性の向上が図られる。また、帯電防止層５０と反射防止層６０とをセードの異なる面に形成しているため、セード４０の基材４１に各層を形成する作業が容易であり、生産性が低下することがない。
【００４６】
また、上記第一実施形態において、図３に示すように、帯電防止層５０の器具本体１１側の表面にさらに反射防止層６０を形成してもよい。このように形成すると、セード４０の全面に渡って帯電防止性と撥水性および撥油性とが付与されるため、防汚性を格段と向上させることができる。
【００４７】
次に、本発明の第二実施形態を図面を参照して説明する。図４は、第二実施形態のセード７０の要部を示す一部拡大断面図である。なお、第一実施形態と同一構成については、同一符号を用いてその説明は省略する。
【００４８】
セード７０は、アクリル製樹脂からなる第一基材７１と同じくアクリル製樹脂からなる第二基材７２とからなる多層構造である。そして、帯電防止層８０は、第一基材７１と第二基材と７２との間に接着剤としても用いられている。なお、帯電防止層８０は、第一実施形態と同様に、背面効果を有するものである。
【００４９】
そして、上記のように構成されたセード７０の表面側に反射防止層６０を設けることもできる。これによる効果は、第一実施形態と略同様である。
【００５０】
本実施形態によれば、セードを７０形成する第一および第二基材７１，７２間に背面効果を有する帯電防止層８０が設けられるので、セード７０の全面に容易に帯電防止性を付与することができる。また、セード７０を長期的に使用する場合であっても、帯電防止層８０が外的要因による機能低下を防止できるため対候性が向上する。
【００５１】
なお、図示はしないが、上記実施形態の他の応用例として、例えば、帯電防止層上または帯電防止層内に紫外線吸収作用を有する物質を設けることもできる。これによると、環形蛍光ランプ１等からの紫外線から帯電防止層を有効に保護することできる。また、帯電防止層上または帯電防止層内に防虫忌避効果を有する物質を設けてもよい。これによると、照明器具１の空間部内３２に虫が侵入することを防ぐことができる。
【００５２】
また、上記各実施形態は、一例であって、本願発明の効果を有するものであれば、各部材の組成および形成方法等は限定されるものではない。
【図面の簡単な説明】
【００５３】
【図１】第一実施形態の照明器具を示す断面図
【図２】第一実施形態のセードの要部を拡大した一部拡大断面図
【図３】第一実施形態の応用例であるセードの要部を拡大した一部拡大断面図
【図４】第二実施形態のセードの要部を拡大した一部拡大断面図
【符号の説明】
【００５４】
１０・・・照明器具、１１・・・器具本体、４０，７０・・・セード、５０・・・帯電防止層、６０・・・反射防止層
【図１】
2007095474.tif 000003
【図２】
2007095474.tif 000004
【図３】
2007095474.tif 000005
【図４】
2007095474.tif 000006